(57)【要約】【課題】全体的態様では、動き検出チャネルは、無線通信ネットワークにおいて動作する。一部の実施例では、第１の無線ネットワーク装置は、無線通信ネットワークにおいて無線通信チャネルの第１のサブセットで無線ネットワークトラフィックを通信する。【解決手段】第１の無線ネットワーク装置は、第２の無線ネットワーク装置によって空間を通って送信される動き検出信号を受信する。動き検出信号は、無線通信チャネルの第２のサブセットで受信される。動き検出信号は、空間における物体の動きを検出するために処理される。【選択図】図７
2020074605.tif 000002
【特許請求の範囲】
【請求項１】
無線ネットワークの方法であって、
第１の無線ネットワーク装置のモデムの動作によって、無線通信ネットワークにおいて無線通信チャネルの第１のサブセットで無線ネットワークトラフィックを通信するステップと、
前記第１の無線ネットワーク装置の前記モデムの動作によって、第２の無線ネットワーク装置によって空間を通って送信されて無線通信チャネルの第２のサブセットで受信される動き検出信号を受信するステップと、
前記動き検出信号処理して前記空間における物体の動きを検出するステップと、
を含む、無線ネットワークの方法。
【請求項２】
前記無線通信ネットワークは、無線ローカルエリアネットワーク（ＷＬＡＮ）を含み、前記第１の無線ネットワーク装置は、無線アクセスポイント（ＷＡＰ）装置を含む、請求項１に記載の無線ネットワークの方法。
【請求項３】
前記無線通信ネットワークは、無線メッシュネットワーク（ＷＭＮ）を含み、前記第１の無線ネットワーク装置は、無線アクセスポイント（ＷＡＰ）装置を含む、請求項１に記載の無線ネットワークの方法。
【請求項４】
前記第２の無線ネットワーク装置によって送信される前記動き検出信号は各々、制御データ及び動きプローブを含む、請求項１に記載の無線ネットワークの方法。
【請求項５】
前記第１の無線ネットワーク装置の前記モデムの動作によって、前記動き検出信号それぞれからの前記動きプローブを比較することによって前記空間における物体の動きを検出するステップを含む、請求項４に記載の無線ネットワークの方法。
【請求項６】
動きの検出に応答して、動き検出の表示を生成するステップを含む、請求項１から５の何れか一項に記載の無線ネットワークの方法。
【請求項７】
前記無線ネットワークトラフィックを通信し、前記動き検出信号を並行して受信するステップを含む、請求項１から５の何れか一項に記載の無線ネットワークの方法。
【請求項８】
前記無線通信チャネルは、周波数チャネルを含む、請求項１から５の何れか一項に記載の無線ネットワークの方法。
【請求項９】
前記無線通信チャネルは、符号化チャネルを含む、請求項１から５の何れか一項に記載の無線ネットワークの方法。
【請求項１０】
無線ネットワークモデムであって、
複数の無線通信チャネルで無線信号を通信するように構成される無線サブシステムと、
前記無線サブシステムに結合されたベースバンドサブシステムと、
を備え、
前記ベースバンドサブシステムが、
前記無線通信チャネルの第１のサブセットで前記無線サブシステムを介して伝達される無線ネットワークトラフィックを無線通信ネットワークにおいて通信し、
前記他の無線ネットワーク装置によって空間を通って送信され、前記無線通信チャネルの第２のサブセットで前記無線サブシステムを介して受信される動き検出信号を受信し、
前記動き検出信号処理して前記空間における物体の動きを検出する、
ように構成される、無線ネットワークモデム。
【請求項１１】
前記無線サブシステムは、無線周波数（ＲＦ）フロントエンド及び無線チップを含む、請求項１０に記載の無線ネットワークモデム。
【請求項１２】
前記ベースバンドサブシステムは、デジタルベースバンドチップを含む、請求項１０に記載の無線ネットワークモデム。
【請求項１３】
他の無線ネットワーク装置によって送信される前記動き検出信号は各々、制御データ及び動き検出プローブを含む、請求項１０に記載の無線ネットワークモデム。
【請求項１４】
前記ベースバンドサブシステムは、送信された前記動き検出信号それぞれにおける前記動き検出プローブの比較に基づいて物体の動きを検出するように構成される、請求項１３に記載の無線ネットワークモデム。
【請求項１５】
前記ベースバンドサブシステムは、動きの検出に応答して動き検出の表示を生成するように構成される、請求項１０に記載の無線ネットワークモデム。
【請求項１６】
前記ベースバンドサブシステムは、前記動き検出の表示を前記無線通信ネットワークを介して別の装置に送るように構成される、請求項１５に記載の無線ネットワークモデム。
【請求項１７】
前記無線サブシステムは、前記無線ネットワークトラフィックを通信して前記動き検出信号を並行して受信するように構成される、請求項１０から１６の何れか一項に記載の無線ネットワークモデム。
【請求項１８】
前記無線通信チャネルは、周波数チャネルを含む、請求項１０から１６の何れか一項に記載の無線ネットワークモデム。
【請求項１９】
前記無線通信チャネルは、符号化チャネルを含む、請求項１０から１６の何れか一項に記載の無線ネットワークモデム。
【請求項２０】
無線通信ネットワークにおいて無線通信チャネルの第１のサブセットで無線ネットワークトラフィックを通信し、無線通信チャネルの第２のサブセットで動き検出信号を送信するように構成された第１のモデムを含む第１の無線ネットワーク装置と、
無線通信チャネルの前記第２のサブセットで前記動き検出信号を受信し、前記動き検出信号を処理して、前記動き検出信号によってアクセスされる空間における物体の動きを検出するように構成された第２のモデムを含む第２の無線ネットワーク装置と、
を備える、システム。
【請求項２１】
前記無線通信ネットワークは、無線ローカルエリアネットワーク（ＷＬＡＮ）を含み、前記第１の無線ネットワーク装置は、無線アクセスポイント（ＷＡＰ）装置を含む、請求項２０に記載の無線通信システム。
【請求項２２】
前記無線通信ネットワークは、無線メッシュネットワーク（ＷＭＮ）を含み、前記第１の無線ネットワーク装置は、無線アクセスポイント（ＷＡＰ）装置を含む、請求項２０に記載の無線通信システム。
【請求項２３】
前記第１のモデムは、第１の無線サブシステムと第１のベースバンドサブシステムとを含み、前記第１のベースバンドサブシステムは、
無線通信チャネルの前記第１のサブセットで前記第１の無線サブシステムを介して前記無線ネットワークトラフィックを通信し、
無線通信チャネルの前記第２のサブセットで前記第１の無線サブシステムを介して前記動き検出信号を受信する、
ように構成される、請求項２０から２２の何れか一項に記載の無線通信システム。
【請求項２４】
前記第２のモデムは、
前記動き検出信号を無線通信チャネルの前記第２のサブセットで受信するように構成される第２の無線サブシステムと、
前記動き検出信号処理して前記物体の前記動きを検出するように構成される第２のベースバンドサブシステムと、
を含む、請求項２３に記載の無線通信システム。
【発明の詳細な説明】
【技術分野】
【０００１】
（関連出願の相互参照）
本出願は、２０１６年６月８日に出願された「無線通信ネットワークにおける動き検出チャネルの動作方法（Ｏｐｅｒａｔｉｎｇ  ａ  Ｍｏｔｉｏｎ  Ｄｅｔｅｃｔｉｏｎ  Ｃｈａｎｎｅｌ  ｉｎ  ａ  Ｗｉｒｅｌｅｓｓ  Ｃｏｍｍｕｎｉｃａｔｉｏｎ  Ｎｅｔｗｏｒｋ）」という名称の米国特許出願第１５／１７６,４８９号の優先権を主張し、当該特許出願は、引用によって本明細書に組み入れられる。
以下の記載は、無線通信ネットワークにおける動き検出チャネルの動作に関する。
【背景技術】
【０００２】
動き感知システムは、例えば、部屋又は屋外区域における物体の移動を検出するのに使用されている。一部の例示的な動き検出システムにおいて、赤外線又は光センサーは、センサーの視界内の物体の動きを検出するのに使用される。動き感知システムは、セキュリティシステム、自動制御システム、及び他の種類のシステムで使用されている。
【図面の簡単な説明】
【０００３】
【図１Ａ】例示的な無線ネットワークシステムを示す概略図である。
【図１Ｂ】例示的なモデムを示す概略図である。
【図２】例示的な動きチャネルパケットを示す概略図である。
【図３Ａ】無線ネットワーク装置間で通信される例示的な信号を示す概略図である。
【図３Ｂ】無線ネットワーク装置間で通信される例示的な信号を示す概略図である。
【図４】例示的な無線ネットワーク装置を含む環境を示す概略図である。
【図５】複数の無線ネットワーク装置を含む例示的な空間を示す概略図である。
【図６】例示的なシステムアーキテクチャを示すブロック図である。
【図７】無線通信ネットワークを動作させる例示的なプロセスを示すフローチャートである。
【発明を実施するための形態】
【０００４】
記載されているものの一部の態様では、無線通信ネットワークは、動き検出チャネルを含む。例えば、動き検出チャネルは、他の無線通信ネットワークの動作と並行して動き検出動作を実行するために、無線通信ネットワークに組み込むことができる。一部の実施構成では、動き検出チャネルは、無線信号プロトコルを実行する他の無線通信チャネルと並行して動作することができる。一部の実施構成では、無線ネットワーク装置におけるチップセットは、動き検出チャネルを使用して、空間内の動きを検出し、また同じチップセットは、別の無線通信チャネルを使用して、例えば他の無線装置との無線ネットワークトラフィックを、通信する。
【０００５】
一部の実施構成では、動き検出チャネルは、動きを判定するのに使用される動き検出信号を送信するのに使用される。動き検出信号は、レーダー信号と類似した方法で使用することができる。例えば、動き検出チャネル上に（例えば、第１の無線ネットワーク装置から送られた）送信信号と、動き検出チャネル上に（例えば、第２の無線ネットワーク装置にて受け取られる）反射信号とが存在する可能性がある。一部の場合では、反射信号は、例えば、送信信号によってアクセスされる空間内のターゲット環境における物体との相互作用に基づく動き情報（速度、場所、その他）を含むことができる。例えば、反射信号を分析して、このような物体の動きを検出することができる。
【０００６】
一部の実施構成では、動き検出チャネルは、無線通信規格に含めることができる。例えば、無線通信ネットワークは、無線通信規格に従って一連の無線通信チャネルを定義することができ、また、無線通信チャネルの１又は２以上を動き検出のために割り当てることができる。一例として、広帯域符号分割多元接続（ＷＣＤＭＡ）規格、ロングタームエボリューション（ＬＴＥ）規格、ＩＥＥＥによって開発された規格のうちの８０２．１１ファミリの１又は２以上、Ｂｌｕｅｔｏｏｔｈ（登録商標）規格、ＺｉｇＢｅｅ規格、又は別の無線通信規格における１又は２以上の動き標準無線通信チャネルは、動き検出のための動き検出チャネルとして割り当てることができる。一部の無線通信規格では、無線通信チャネルは、割り当て名（例えば、「チャネル１」、「チャネル２」など）又は他の種類の識別子である。無線通信チャネルは、周波数（例えば、各無線通信チャネルは、ある周波数レンジにおいて所与の帯域幅を占有する）、コード（例えば、各無線通信チャネルは、チャネルコードを有する）、又はその他の方法で定義することができる。
【０００７】
一部の例示的な実施構成では、動き検出信号は、空間において動きを探索するために動き検出チャネル上で繰り返し送信される。動き検出信号は、例えば、動き検出のために生成される基準信号（例えば、擬似ランダム符号又は別の基準）、ビーコン信号（例えば、ブルートゥースビーコン、Ｗｉ−Ｆｉビーコン、他の無線ビーコン信号）、又は無線通信規格に従って他の目的のために生成される別の標準的な信号、又は別の種類の繰り返し信号を含むことができる。一部の実施例では、動き検出信号は、移動中の物体との相互作用の前又は後に物体（例えば、壁部）を通って伝播し、これによって、物体の移動が移動中の物体と送信又は受信ハードウェアとの間の光学的な見通し線なしに検出することが可能できる。動き検出器システムは、部屋、建物、屋外区域、その他などの空間内の移動を監視する中央管理室を含むことができる、セキュリティシステムのような大規模なシステムで使用することができる。
【０００８】
図１Ａは、例示的な無線ネットワークシステム１００の態様を示す概略図である。例示的な無線ネットワークシステム１００は、３つの無線ネットワーク装置１０１Ａ、１０１Ｂ、１０１Ｃを含む。例示的な無線ネットワークシステム１００は、更なる無線ネットワーク装置、及び他の構成要素（例えば、１又は２以上の無線ネットワークサーバ、無線ネットワークルータ、無線ネットワークスイッチ、ケーブル、又は他の通信リンク、その他）を含むことができる。
【０００９】
例示的な無線ネットワークシステム１００は、例えば、無線通信規格、又は別の種類の無線通信プロトコルに従って無線通信ネットワークとして動作することができる。例えば、無線ネットワークシステム１００は、無線ローカルエリアネットワーク（ＷＬＡＮ）、セルラネットワーク、パーソナルエリアネットワーク（ＰＡＮ）、メトロポリタンエリアネットワーク（ＭＡＮ）、又は別の種類の無線通信ネットワークとして動作するように構成することができる。セルラネットワークの実施例としては、グローバル・システム・フォー・モバイル（ＧＳＭ）及びＧＳＭ進化型高速データレート（ＥＤＧＥ）又はＥＧＰＲＳなどの２Ｇ規格、符号分割多元接続（ＣＤＭＡ）、広帯域符号分割多元接続（ＷＣＤＭＡ）、ユニバーサル移動体通信システム（ＵＭＴＳ）及び時分割同期符号分割多元接続（ＴＤ−ＳＣＤＭＡ）などの３Ｇ規格、ロングタームエボリューション（ＬＴＥ）及びＬＴＥアドバンスド（ＬＴＥ−Ａ）などの４Ｇ規格、及びその他に従って構成されるネットワークが挙げられる。ＷＬＡＮの実施例は、ＩＥＥＥによって開発された規格の８０２．１１ファミリの１又は２以上（例えば、Ｗｉ−Ｆｉネットワーク）及びその他に従って動作するように構成されたネットワークを含む。ＰＡＮの実施例は、短距離通信規格（例えば、Ｂｌｕｅｔｏｏｔｈ（登録商標）、近距離通信（ＮＦＣ）、ＺｉｇＢｅｅ）、ミリ波通信方式、及びその他に従って動作するネットワークが挙げられる。
【００１０】
図１Ａに示す実施例では、無線ネットワーク装置１０１Ａ、１０１Ｂ、１０１Ｃの各々は、それぞれのプロセッサ、電力供給装置、メモリ、及びモデムを含む。無線ネットワーク装置１０１Ａ、１０１Ｂ、１０１Ｃは、更なる又は異なる構成要素を含むことができ、図１Ａに示すように、又は別の方法で動作するように構成することができる。一部の実施構成では、無線ネットワーク装置１０１Ａ、１０１Ｂ、１０１Ｃの全ては、同じ形式の装置である。一部の実施構成では、無線ネットワーク装置１０１Ａ、１０１Ｂ、１０１Ｃの１又は２以上は、他と異なっている。
【００１１】
例示的な無線ネットワーク装置１０１Ａは、プロセッサ１０２Ａ、電力供給装置１０３Ａ、モデム１０４Ａ、及びメモリ１０５Ａを含む。一部の実施構成では、プロセッサ１０２Ａ、電力供給装置１０３Ａ、モデム１０４Ａ、及びメモリ１０５Ａは、共通のハウジング又は他の組立体に共に収容される。一部の実施構成では、構成要素の１又は２以上は、例えば、別々のハウジング又は他の組立体内に別個に収容することができる。
【００１２】
例示的なモデム１０４Ａは、無線信号を通信（受信、送信、又は両方）することができる。例えば、モデム１０４Ａは、無線通信規格に従ってフォーマットされる無線周波数信号を通信するように構成することができる。モデム１０４Ａは、図１Ｂに示す例示的な無線ネットワークモデム１０４として実施することができ、又はモデム１０４Ａは、別の方法で、例えば、他の種類の構成要素又はサブシステムで実施することができる。
【００１３】
図示の実施例では、モデム１０４Ａは、複数の無線通信チャネルで通信することができる。例えば、無線通信チャネルは、無線通信規格又は他の無線通信プロトコルによって定義することができる。無線通信チャネルは、データを無線装置間で転送するために例示的な無線ネットワークシステム１００において使用される。図１Ａに示すように、無線ネットワークシステム１００は、Ｎ＋１個の異なる無線通信チャネルでの通信をサポートし、Ｎ＋１個の異なる無線通信チャネルは、無線トラフィック（例えば、データパケット）を無線装置間で転送するＮ個の異なるネットワークトラフィックチャネル１０８と、動き検出信号を無線装置間で転送する１つの動き検出チャネル１１０とを含む。一部の事例では、無線ネットワークシステム又は個々の無線ネットワーク装置は、他の種類の無線通信チャネル、又は同じ形式の更なる無線通信チャネル（例えば、複数の動き検出チャネル）をサポートすることができる。一部の事例では、２又は３以上の隣接した無線通信チャネルを組み合わせて、１つの動き検出チャネルを形成することができ、これによって、動き検出チャネルの周波数帯域幅を増大することができる。
【００１４】
一部の実施構成では、（ネットワークトラフィックチャネル１０８及び動き検出チャネル１１０を含む）無線通信チャネルは、周波数チャネルである。例えば、無線通信チャネルの各々は、無線スペクトルの使用許諾された又は使用許諾されていない帯域内の異なる周波数帯域幅を占有するか又はその他の方法で該周波数帯域幅に対応することができる。周波数チャネルは、重なり合う帯域幅又は重なり合わない帯域幅を含むことができる。一部のＷｉ−Ｆｉ規格では、各周波数チャネルは、異なる中心周波数に対応し、ある周波数帯域幅を有する。実施例において、中心周波数は、５ＭＨｚ（例えば、２．４１２ＧＨｚ、２．４１７ＧＨｚ、２．４２２ＧＨｚなど）だけ離隔され、各チャネルは、２０ＭＨｚの帯域幅を有する。無線ネットワーク装置１０１Ａのモデム１０４Ａは、例えば、他の周波数間隔又は周波数帯域幅を有する他の種類の周波数チャネルで通信するように構成することができる。
【００１５】
一部の実施構成では、（ネットワークトラフィックチャネル１０８及び動き検出チャネル１１０を含む）無線通信チャネルは、符号化チャネルである。例えば、無線通信チャネルの各々は、異なる拡散符号に対応し、無線スペクトルの使用許諾又は使用許諾されていない帯域内の共通の周波数レンジ内で動作することができる。一部の事例では、拡散符号は、例えば、同じ周波数レンジ内の符号化チャネル間の干渉を回避するために、広帯域スペクトル送信を各それぞれの符号化チャネル上で生成するのに使用される。一部の形式の符号分割多重アクセス（ＣＤＭＡ）規格では、各符号化チャネルは、データ信号と組み合わされてチャネル符号化信号を生成する異なるチャネル符号に対応する。実施例において、各チャネル符号は、擬似ランダム２進符号である。一部の事例では、符号化チャネルの複数（例えば、一部又は全て）は、同じ周波数帯域幅を共有する。無線ネットワーク装置１０１Ａのモデム１０４Ａは、他の種類の符号化チャネルで通信するように構成することができる。
【００１６】
一部の実施構成では、（ネットワークトラフィックチャネル１０８及び動き検出チャネル１１０を含む）無線通信チャネルは、周波数チャネル及び符号化チャネルを含む。例えば、ネットワークトラフィックチャネル１０８の一部又は全部は、周波数チャネルとすることができ、動き検出チャネル１１０は、符号化チャネルとすることができる。別の例として、ネットワークトラフィックチャネル１０８の一部又は全部は、符号化チャネルとすることができ、動き検出チャネル１１０は、周波数チャネルとすることができる。
【００１７】
一部の実施構成では、例示的なモデム１０４Ａは、無線サブシステム及びベースバンドサブシステムを含む。一部の事例では、ベースバンドサブシステム及び無線サブシステムは、共通のチップ又はチップセット上で実施することができ、又はカード又は別の種類の組立装置にて実施することができる。ベースバンドサブシステムは、例えば、リード、ピン、ワイヤー又は他の種類の接続によって無線サブシステムに結合することができる。
【００１８】
一部の事例では、モデム１０４Ａにおける無線サブシステムは、１又は２以上のアンテナ及び無線周波数回路を含むことができる。無線周波数回路は、例えば、アナログ信号をフィルタリング、増幅又はその他の方法で調整する電気回路、ベースバンド信号をＲＦ信号にアップコンバートする電気回路、ＲＦ信号をベースバンド信号にダウンコンバートする電気回路、その他を含むことができる。このような電気回路は、例えば、フィルター、増幅器、ミキサー、局部発振器、その他を含むことができる。無線サブシステムは、無線周波数無線信号を無線通信チャネルで通信するように構成することができる。一例として、無線サブシステムは、図１Ｂに示す無線受信機チップ１１２及びＲＦフロントエンド１１３を含むことができる。無線サブシステムは、更なる又は異なる構成要素を含むことができる。一部の実施構成では、無線サブシステムは、従来のモデムからの、例えば、Ｗｉ−Ｆｉモデム、ピコ基地局モデム、その他から無線電子機器（例えば、ＲＦフロントエンド、無線チップ又は類似の構成要素）とするか、又は無線電子機器を含むことができる。
【００１９】
一部の事例では、モデム１０４Ａにおけるベースバンドサブシステムは、例えば、デジタルベースバンドデータを処理するように構成されるデジタル電子機器を含むことができる。一例として、ベースバンドサブシステムは、図１Ｂに示すベースバンドチップ１１１を含むことができる。ベースバンドサブシステムは、更なる又は異なる構成要素を含むことができる。一部の事例では、ベースバンドサブシステムは、デジタル信号プロセッサ（ＤＳＰ）装置、又は別の種類のプロセッサ装置を含むことができる。一部の事例では、ベースバンドシステムは、無線サブシステムを動作するか、無線ネットワークトラフィックを無線サブシステムを介して通信するか、無線サブシステムを介して受信される動き検出信号に基づいて動きを検出するか、又は他の種類のプロセスを実行するデジタル処理論理回路を含む。例えば、ベースバンドサブシステムは、１又は２以上のチップ、チップセット又は他の種類のデバイスを含むことができ、これらは、信号を符号化して符号化された信号を送信のために無線サブシステムに送出するか、又は（例えば、信号を無線通信規格に従って復号することによって、信号を動き検出プロセスに従って処理することによって、又は他の方法で）無線サブシステムからの信号内の符号化されたデータを識別し分析するように構成される。
【００２０】
一部の事例では、例示的なモデム１０４Ａにおける無線サブシステムは、ベースバンドサブシステムからベースバンド信号を受信し、該ベースバンド信号を無線周波数信号にアップコンバートして、無線周波数信号を（例えば、アンテナを介して）無線で送信する。一部の事例では、例示的なモデム１０４Ａにおける無線サブシステムは、無線周波数信号を（例えば、アンテナを介して）無線で受信し、無線周波数信号をベースバンド信号にダウンコンバートして、該ベースバンド信号をベースバンドサブシステムに送る。無線サブシステムとベースバンドサブシステムとの間で交換される信号は、デジタル信号又はアナログ信号とすることができる。一部の実施例では、ベースバンドサブシステムは、変換回路（例えば、デジタル／アナログ変換器、アナログ／デジタル変換器）を含み、アナログ信号を無線サブシステムと交換する。一部の実施例では、無線サブシステムは、変換回路（例えば、デジタル／アナログ変換器、アナログ／デジタル変換器）を含み、デジタル信号をベースバンドサブシステムと交換する。
【００２１】
一部の事例では、例示的なモデム１０４Ａのベースバンドサブシステムは、無線ネットワークトラフィック（例えば、データパケット）を無線通信ネットワークにおいてネットワークトラフィックチャネル１０８のうちの１又は２以上で無線サブシステムを介して通信することができる。モデム１０４Ａのベースバンドサブシステムはまた、動き検出信号（例えば、動き検出パケット）を動き検出チャネル１１０で無線サブシステムを介して送信又は受信（又は両方）することもできる。一部の事例では、ベースバンドサブシステムは、例えば、動きについて空間を探索するために送信用の動き検出信号を生成する。一部の事例では、ベースバンドサブシステムは、受信された動き検出信号を処理して、例えば、空間における物体の動きを検出する。
【００２２】
例示的なプロセッサ１０２Ａは、命令を実行して、例えば、データ入力に基づいて出力データを生成することができる。命令は、メモリに格納されたプログラム、コード、スクリプト、又は他の種類のデータを含むことができる。これに加えて又は代替として、命令は、予めプログラムされたか又は再プログラム可能な論理回路、論理ゲート、又は他の種類のハードウェア又はファームウェアコンポーネントとして符号化することができる。プロセッサ１０２Ａは、汎用マイクロプロセッサとすることができ、又は汎用マイクロプロセッサを、専用のコプロセッサ又は別の種類のデータ処理装置として含むことができる。一部の事例では、プロセッサ１０２Ａは、無線ネットワーク装置１０１Ａの高レベルの動作を実行する。例えば、プロセッサ１０２Ａは、メモリ１０５Ａに格納されたソフトウェア、スクリプト、プログラム、機能、実行ファイル、又は他のモジュールを実行又は解釈するように構成することができる。一部の実施構成では、プロセッサ１０２Ａは、モデム１０４Ａ内に含めることができる。
【００２３】
例示的なメモリ１０５Ａは、コンピュータ可読媒体、例えば、揮発性メモリデバイス、不揮発性メモリデバイス、又はその両方を含むことができる。メモリ１０５Ａは、１又は２以上の読取り専用メモリデバイス、ランダムアクセスメモリデバイス、バッファメモリデバイス、又はこれら及び他の種類のメモリデバイスの組み合わせを含むことができる。一部の事例では、メモリの１又は２以上の構成要素は、無線ネットワーク装置１０１Ａの別の構成要素と一体化するか、又は他の方法で関連付けることができる。
【００２４】
例示的な電力供給装置１０３Ａは、無線ネットワーク装置１０１Ａの他の構成要素に電力を供給する。例えば、プロセッサ１０２Ａ、メモリ１０５Ａ、及びモデム１０４Ａは、電圧バス又は他の接続を介して電力供給装置１０３Ａによって提供される電力に基づいて動作することができる。一部の実施構成では、電力供給装置１０３Ａは、バッテリ又はバッテリシステム、例えば、充電式バッテリを含む。一部の実施構成では、電力供給装置１０３Ａは、外部電力信号を（外部源から）受信して外部電力信号を無線ネットワーク装置１０１Ａの構成要素用に調整された内部電力信号に変換するアダプタ（例えば、ＡＣアダプタ）を含む。電力供給装置１０３Ａは、他の構成要素を含むか、又は別の方法で動作することができる。
【００２５】
無線ネットワーク装置１０１Ｂは、プロセッサ１０２Ｂ、電力供給装置１０３Ｂ、モデム１０４Ｂ、及びメモリ１０５Ｂを含み、無線ネットワーク装置１０１Ｃは、プロセッサ１０２Ｃ、電力供給装置１０３Ｃ、モデム１０４Ｃ、及びメモリ１０５Ｃを含む。無線ネットワーク装置１０１Ｂ、１０１Ｃの構成要素は、上述した無線ネットワーク装置１０１Ａの構成要素として又は別の方法で実施することができる。
【００２６】
図１Ａに示す実施例では、無線ネットワーク装置１０１Ａ、１０１Ｂ、１０１Ｃは、（ネットワークトラフィックチャネル１０８及び動き検出チャネル１１０を含む）無線通信チャネルを使用して無線信号を通信する。図示の実施例では、無線ネットワーク装置１０１Ａは、無線信号を送信し、無線ネットワーク装置１０１Ｂ、１０１Ｃは、無線ネットワーク装置１０１Ａによって送信される無線信号を受信する。無線ネットワーク装置１０１Ａは、無線信号を他の装置（例えば、ユーザ装置、クライアント装置、サーバなど）に送ることができ、同様に、無線ネットワーク装置１０１Ｂ、１０１Ｃは、無線信号を他の装置から受信することができる。
【００２７】
一部の事例では、無線ネットワーク装置１０１Ａは、ネットワークトラフィックチャネル１０８のうちの１又は２以上を使用して、無線ネットワークトラフィックを通信（送信又は受信）する。例えば、無線ネットワーク装置１０１Ａは、ネットワークトラフィックチャネル１０８のうちの１又は２以上を使用して、無線データパケットをサーバシステムとクライアントシステムとの間で通信することができる。別の実施例として、無線ネットワーク装置１０１Ａは、ネットワークトラフィックチャネル１０８のうちの１又は２以上を使用して、ピアツーピア又はメッシュネットワークトポロジにおいてノード間で無線データパケットを通信することができる。別の実施例として、無線ネットワーク装置１０１Ａは、ネットワークトラフィックチャネル１０８のうちの１又は２以上を使用して、ビーコン信号、電力信号、又は他の種類の無線ネットワークトラフィックをブロードキャストすることができる。一部の事例では、無線信号は、無線ネットワーク装置１０１Ａから、例えば、無線通信ネットワークにおけるクライアント装置又は別のノードに送信される。一部の事例では、無線信号は、無線ネットワーク装置１０１Ａで、例えば、無線通信ネットワーク内のクライアント装置又は別のノードから受信される。
【００２８】
一部の事例では、無線ネットワーク装置１０１Ａは、動き検出チャネル１１０を使用して、動き検出信号を通信する。例えば、無線ネットワーク装置１０１Ａは、動き検出チャネル１１０を使用して、図２に示す例示的な動きチャネルパケット２０２に従ってフォーマットされる動き検出信号、又は別の種類の動き検出信号を通信することができる。一部の事例では、動き検出チャネル１１０で通信される動き検出信号は、動き検出のために生成される基準信号（例えば、擬似ランダム符号又は別の種類の基準信号）を含む。一部の事例では、動き検出チャネル１１０で通信される動き検出信号は、例えば、無線通信規格に従って周期的に繰り返される無線ネットワーク信号（例えば、ビーコン信号、ステータス信号）を含む。動き検出信号は、スケジュールされた時間で、周期的又はランダムな間隔で、又は他の時間ステップで動き検出チャネル１１０で送ることができる。一部の事例では、無線信号は、秒、分、時間、その他毎に複数回送信される
【００２９】
一部の事例では、動き検出信号は、無線ネットワーク装置１０１Ａからターゲット環境を通って通信される。ターゲット環境は、例えば、空気、固体材料、液体、又は無線電磁信号が伝搬することができる別の媒質を含むことができる。ターゲット環境は、送信された無線電磁信号のための複数の経路を含むことができ、送信された信号は、ターゲット環境において表面から反射するか又は表面によって散乱する可能性がある。反射又は散乱は、送信された信号がインピーダンス不連続部に入射した結果として発生する場合があり、これは、空気と壁部との境界、空気と人との境界、又は他の境界のような異なる材料間の境界で発生する可能性がある。一部の事例では、送信された信号が第１の材料（例えば、空気）と第２の材料（例えば、壁部）との間の境界に入射したときに、送信された信号の一部は、空気と壁部との間の境界で反射又は散乱する可能性がある。加えて、送信された信号の別の部分は、壁部を通って伝播し続ける場合があり、別の方法で屈折又は影響を受ける可能性がある。更に、壁部を通って伝播する他の部分は、別の境界に入射する可能性があり、更なる部分は、当該境界で反射又は散乱する可能性があり、別の部分は、境界を通って伝播し続ける可能性がある。
【００３０】
一部の事例では、無線ネットワーク装置１０１Ａからの動き検出信号は、空間を介して１又は２以上の経路を横断して、無線ネットワーク装置１０１Ｂ、１０１Ｃの一方又は両方で受信信号を形成する。信号路に沿った相互作用によって、結果的に、経路長さ、信号の反射又は散乱、或いは他の要素に起因する送信信号に対する減衰及び位相オフセットが発生する可能性がある。そのため、無線ネットワーク装置１０１Ｂ、１０１Ｃでの受信信号は、送信信号に対して異なる減衰及び位相オフセットを有する異なる成分を有する可能性がある。経路において信号を反射、散乱、又は他の方法で相互作用する物体が移動するときに、無線ネットワーク装置１０１Ｂ、１０１Ｃでの受信信号の成分が変わる可能性がある。例えば、経路長さが変わる可能性があり、結果的に位相オフセットの増減が発生するか、又は結果的に信号の減衰の増減が発生する。すなわち、物体の移動によって生じる変化は、一部の場合では受信信号において検出することができる。
【００３１】
動作の一部の態様では、それぞれの無線ネットワーク装置１０１Ａ、１０１Ｂ、１０１Ｃのモデム１０４Ａ、１０４Ｂ、１０４Ｃは、無線通信ネットワークにおいてネットワークトラフィックチャネル１０８のうちの１又は２以上で無線ネットワークトラフィックを通信する。一部の事例では、モデム１０４Ａは、動き検出チャネル１１０で動き検出信号を送信し、モデム１０４Ｂ、１０４Ｃは、動き検出チャネル１１０で動き検出信号を受信する。その後、モデム１０４Ｂ、１０４Ｃは、動き検出信号を処理して、動き検出信号によってアクセスされる空間において物体の動きを検出することができる。例えば、動き検出信号は各々、制御データ及び動きプローブを含むことができ、モデム１０４Ｂ、１０４Ｃは各々、動きプローブをそれぞれの動き検出信号から比較して、空間における動きを検出することができる。一部の事例では、時間の経過に伴う動きプローブの変化は、空間における動きを示し、動きの表示は、このような変化を検出することに応答して生成することができる。動き検出信号によってアクセスされる空間は、屋内又は屋外空間とすることができ、例えば、１又は２以上の完全に又は部分的に取り囲まれた区域、囲いの無い開放区域、その他を含むことができる。
【００３２】
図１Ｂは、例示的な無線ネットワークモデム１０４を示す概略図である。一部の実施例では、無線ネットワークモデム１０４は、カード、チップ、チップセット、又は別の種類のデバイスとして実施することができる。モデムは、一般的に、１又は２以上の無線通信規格又は他のプロトコルに対応するソフトウェア又はファームウェアと共に、無線サブシステム及びベースバンドサブシステムを含むことができる。一部の事例では、モデムは、複数の無線通信規格（例えば、３Ｇ及びＬＴＥ）をサポートするハードウェア、ソフトウェア、又はファームウェア（もしくはそれらの組み合わせ）を含む。
【００３３】
図１Ｂに示す例示的な無線ネットワークモデム１０４は、図１Ａに示すそれぞれの無線ネットワーク装置１０１Ａ、１０１Ｂ、１０１Ｃにおいて例示的なモデム１０４Ａ、１０４Ｂ、１０４Ｃとして動作することができる。例えば、無線ネットワークモデム１０４は、図１Ａに関して記載されるように無線通信チャネル（例えば、ネットワークトラフィックチャネル１０８及び動き検出チャネル１１０）で通信して、例えば、動き検出信号を処理することによって物体の動きを検出することができる。一部の事例では、例示的な無線ネットワークモデム１０４は、別の方法で動作することができる。
【００３４】
図１Ｂに示す例示的な無線ネットワークモデム１０４は、ベースバンドチップ１１１、無線チップ１１２、及び無線周波数（ＲＦ）フロントエンド１１３を含む。無線ネットワークモデム１０４は、更なる又は異なる特徴を含むことができ、構成要素は、図示のように又は別の方法で配置することができる。一部の実施構成では、ベースバンドチップ１１１は、これらの構成要素を含み、図１Ａに示す例示的なモデム１０４Ａに関して記載されるベースバンドサブシステムの動作を実行する。一部の実施構成では、ベースバンドチップ１１１は、無線チップ１１２からの同相信号及び直角位相信号（Ｉ信号及びＱ信号）を処理して、受信された無線信号からデータを抽出することができる。ベースバンドチップ１１１は、無線チップ１１２を制御するか、又は他の動作を実行することができる。一部の事例では、ベースバンドチップ１１１は、デジタル信号プロセッサ（ＤＳＰ）又は別の種類のデータ処理装置として実施することができる。
【００３５】
一部の実施構成では、無線チップ１１２及びＲＦフロントエンド１１３は、これらの構成要素を含み、図１Ａに示す例示的なモデム１０４Ａに関して記載される無線サブシステムの動作を実行する。一部の実施構成では、無線チップ１１２は、受信された無線信号に基づいて、例えば、デジタル又はアナログフォーマットで同相信号及び直角位相信号（Ｉ信号及びＱ信号）を生成することができる。一部の実施構成では、ＲＦフロントエンド１１３は、１又は２以上のアンテナ、フィルター、ＲＦスイッチ、カプラ、ＲＦゲインチップ、又は無線周波数信号を送信又は処理のために調整する他の構成要素を含むことができる。
【００３６】
図２は、例示的な動きチャネルパケットを示す概略図である。例示的な動きチャネルパケット２０２は、空間における動きについて監視するために、例えば、無線ネットワークシステムにおいて送信することができる。一部の実施例では、動きチャネルパケット２０２は、無線通信ネットワークにおいて動き検出チャネルで動き検出信号の形態で送信される。例えば、動きチャネルパケット２０２は、アナログ信号に変換されて、無線周波数にアップコンバートされ、アンテナによって無線で送信される２進データを含むことができる。
【００３７】
図２に示す例示的な動きチャネルパケット２０２は、制御データ２０４及び動きプローブ２０６を含む。動きチャネルパケット２０２は、更なる又は異なる特徴を含むことができ、また、別の方法でフォーマットすることができる。図示の実施例では、制御データ２０４は、従来のデータパケットに含まれると思われる形式の制御データを含むことができる。例えば、制御データ２０４は、動きチャネルパケット２０２に含まれる形式の情報、動きチャネルパケット２０２を送信する無線装置の識別子、動きチャネルパケット２０２を送信する無線装置のＭＡＣアドレス、送信電力、その他を示すプリアンブルを含むことができる。動きプローブ２０６は、例示的な動きチャネルパケット２０２のペイロードである。一部の実施構成では、動きプローブ２０６は、例えば、擬似ランダム符号又は別の種類の基準信号とすることができ、又は擬似ランダム符号又は別の種類の基準信号を含むことができる。一部の実施構成では、動きプローブ２０６は、例えば、無線ネットワークシステムによってブロードキャストされるビーコン信号とすることができ、又は該ビーコン信号を含むことができる。
【００３８】
実施例では、動きチャネルパケット２０２は、図１Ａに示す無線ネットワーク装置１０１Ａから複数回無線送信され、動きチャネルパケット２０２の各送信は、他の無線ネットワーク装置１０１Ｂによって無線で受信される。一部の事例では、制御データ２０４は、例えば、送信又は更新されたパラメータの日時を示すために各送信と共に変化する。動きプローブ２０６は、無線ネットワーク装置１０１Ａからの動きチャネルパケット２０２の各送信において不変のままとすることができる。他の無線ネットワーク装置１０１Ｂは、動きチャネルパケット２０２の各送信に基づいて受信信号を処理し、変化について動きプローブ２０６を分析することができる。例えば、動きプローブ２０６の変化は、動きチャネルパケット２０２の無線送信によってアクセスされる空間における物体の移動を示すことができる。一部の事例では、他の無線ネットワーク装置１０１Ｂは、時間の経過に伴う動きプローブ２０６の変化を（例えば、一連の送信に基づいて）検出して、動きデータを生成する。その後、動きデータを処理して、例えば、検出された動きに対する応答を生成することができる。
【００３９】
図３Ａ及び図３Ｂは、無線ネットワーク装置３０４Ａ、３０４Ｂ、３０４Ｃ間で通信される例示的な動き検出信号を示す概略図である。無線ネットワーク装置３０４Ａ、３０４Ｂ、３０４Ｃは、例えば、図１Ａに示す無線ネットワーク装置１０１Ａ、１０１Ｂ、１０１Ｃ、又は別の種類の無線ネットワーク装置とすることができる。例示的な無線ネットワーク装置３０４Ａ、３０４Ｂ、３０４Ｃは、空間３００において無線信号を送信する。例示的な空間３００は、空間の１又は２以上の境界にて完全に又は部分的に囲まれ又は開放することができる。空間３００は、部屋、複数の部屋、建物、屋内区域、屋外区域、及び同様のものの内部とすることができ、又は当該内部を含むことができる。第１の壁部３０２Ａ、第２の壁部３０２Ｂ及び第３の壁部３０２Ｃは、図示の実施例において空間３００を少なくとも部分的に取り囲む。
【００４０】
図３Ａ及び図３Ｂに示す実施例では、第１の無線ネットワーク装置３０４Ａは、動き検出信号を繰り返し（例えば、周期的に、断続的に、ランダムな間隔で、その他）送信するように動作可能である。第２及び第３の無線ネットワーク装置３０４Ｂ、３０４Ｃは、送信された動き検出信号を受信するように動作可能である。無線ネットワーク装置３０４Ｂ、３０４Ｃは各々、例えば、経時的に受信される動き検出信号の比較に基づいて、空間３００における物体の動きを検出するように構成されるモデムを有する。
【００４１】
図示のように、物体は、図３Ａにおける第１の位置３１４Ａにあり、物体は、図３Ｂにおける第２の位置３１４Ｂに移動している。図３Ａ及び図３Ｂでは、空間３００における移動中の物体は、人間として表されているが、この移動中の物体は、別の種類の物体とすることができる。例えば、移動中の物体は、動物、無機物体（例えば、システム、装置、装置、又は組立体）、空間３００の境界の全て又は一部を定義する物体（例えば、壁、戸、窓など）、又は別の種類の物体とすることができる。
【００４２】
図３Ａ及び図３Ｂに示すように、第１の無線ネットワーク装置３０４Ａから送信される動き検出信号の複数の例示的な経路は、破線で示されている。第１の信号路３１６に沿って、動き検出信号は、第１の無線ネットワーク装置３０４Ａから送信され、第２の無線ネットワーク装置３０４Ｂに向かって第１の壁部３０２Ａから反射する。第２の信号路３１８に沿って、動き検出信号は、第１の無線ネットワーク装置３０４Ａから送信され、第３の無線ネットワーク装置３０４Ｃに向かって第２の壁部３０２Ｂ及び第１の壁部３０２Ａから反射する。第３の信号路３２０に沿って、動き検出信号は、第１の無線ネットワーク装置３０４Ａから送信され、第３の無線ネットワーク装置３０４Ｃに向かって第２の壁部３０２Ｂから反射する。第４の信号路３２２に沿って、動き検出信号は、第１の無線ネットワーク装置３０４Ａから送信され、第２の無線ネットワーク装置３０４Ｂに向かって第３の壁部３０２Ｃから反射する。
【００４３】
図３Ａでは、第５の信号路３２４Ａに沿って、動き検出信号は、第１の無線ネットワーク装置３０４Ａから送信され、第３の無線ネットワーク装置３０４Ｃに向かって第１の位置３１４Ａで物体から反射する。図３Ａ及び３Ｂ間では、物体の表面は、空間３００において第１の位置３１４Ａから第２の位置３１４Ｂまで（例えば、第１の位置３１４Ａからある距離を隔てて）移動する。図３Ｂでは、第６の信号路３２４Ｂに沿って、動き検出信号は、第１の無線ネットワーク装置３０４Ａから送信され、第３の無線ネットワーク装置３０４Ｃに向かって第２の位置３１４Ｂで物体から反射する。図３Ｂに示す第６の信号路３２４Ｂは、第１の位置３１４Ａから第２の位置３１４Ｂまでの物体の移動に起因して図３Ａに示す第５の信号路３２４Ａよりも長い。一部の実施例では、信号路は、空間における物体の移動に起因して、追加、除去、又は他の方法で修正することができる。
【００４４】
図３Ａ及び図３Ｂに示す例示的な動き検出信号は、それぞれの経路を介して減衰、周波数シフト、位相シフト、又は他の影響を生じる可能性があり、例えば、壁部３０２Ａ、３０２Ｂ及び３０２Ｃを介して別の方向に伝播する部分を有する可能性がある。一部の実施例では、動き検出信号は、無線周波数（ＲＦ）信号であり、又は動き検出信号は、他の種類の信号を含むことができる。
【００４５】
図３Ａ及び図３Ｂに示す実施例では、第１の無線ネットワーク装置３０４Ａは、動き検出信号を繰り返し送信する。詳細には、図３Ａは、動き検出信号が第１の時間に第１の無線ネットワーク装置３０４Ａから送信されることを示し、図３Ｂは、同じ信号がその後の第２の時間に第１の無線ネットワーク装置３０４Ａから送信されことを示している。送信信号は、連続的に、周期的に、ランダムな又は間欠的な時間及び同様のもの、又はそれらの組み合わせで送信することができる。送信信号は、周波数帯域幅において幾つかの周波数成分を有することができる。送信信号は、全方向で、一方向で、又は他の方法で第１の無線ネットワーク装置３０４Ａから送信することができる。図示の実施例では、動き検出信号は、空間３００において複数のそれぞれの経路を横断し、各経路に沿った信号は、経路損失、散乱、反射又は同様のものに起因して減衰する場合があり、位相又は周波数オフセットを有する場合がある。
【００４６】
図３Ａ及び図３Ｂに示すように、様々な経路３１６、３１８、３２０、３２２、３２４Ａ、及び３２４Ｂからの信号は、第３の無線ネットワーク装置３０４Ｃ及び第２の無線ネットワーク装置３０４Ｂにて組み合わされて、受信信号を形成する。送信信号に及ぼす空間３００内の複数の経路の効果に起因して、空間３００は、送信信号が入力されて受信信号が出力される伝達関数（例えば、フィルター）として表すことができる。物体が空間３００において移動するとき、信号路内の信号に影響を与える減衰又は位相オフセットが変わる可能性があり、従って、空間３００の伝達関数が変わる可能性がある。同じ動き検出信号が第１の無線ネットワーク装置３０４Ａから送信されると仮定すると、空間３００の伝達関数が変わった場合、伝達関数の出力（受信信号）も変わることになる。受信信号の変化を使用して、物体の移動を検出することができる。
【００４７】
数学的には、第１の無線ネットワーク装置３０４Ａから送信される送信信号ｆ（ｔ）は、式（１）に従って記述することができる。
【数１】
2020074605.tif 000003
（１）
式中、ωnは、送信信号のｎ番目の周波数成分の周波数を表し、ｃnは、ｎ番目の周波数成分の複素係数を表し、ｔは、時間を表す。送信信号ｆ（ｔ）が第１の無線ネットワーク装置３０４Ａから送信されている場合、経路からの出力信号ｒk（ｔ）は、式（２）に従って記述することができる。
【数２】
2020074605.tif 000004
（２）
式中、αn,kは、経路ｋに沿ったｎ番目の周波数成分について（例えば、散乱、反射、及び経路喪失に起因する）の減衰係数を表し、φn,kは、経路ｋに沿ったｎ番目の周波数成分についての信号の位相を表す。次いで、無線ネットワーク装置での受信信号Ｒは、全ての経路から無線ネットワーク装置までの全ての出力信号ｒk（ｔ）の合計として記述することができ、これは、式（３）に示す。
【数３】
2020074605.tif 000005
（３）
式（２）を式（３）に代入すると、以下の式（４）が得られる。
【数４】
2020074605.tif 000006
（４）
【００４８】
次に、無線ネットワーク装置での受信信号Ｒを分析することができる。無線ネットワーク装置での受信信号Ｒは、例えば、高速フーリエ変換（ＦＦＴ）又は別の種類のアルゴリズムを使用して、周波数領域に変換することができる。変換された信号は、一連のｎ個の複素数値、（Ｎ個の周波数ωnでの）それぞれの周波数成分の各々に１つの複素数値として受信信号Ｒを表すことができる。周波数ωnでの周波数成分については、複素数Ｙnは、式（５）において以下のように表すことができる。
【数５】
2020074605.tif 000007
（５）
所与の周波数成分ωnの複素数値Ｙnは、その周波数成分ωnでの受信信号の相対振幅及び位相オフセットを示す。
【００４９】
第１の無線ネットワーク装置３０４Ａが、送信信号ｆ（ｔ）及びそれぞれの無線ネットワーク装置３０４Ｂを繰り返し（例えば、少なくとも２回）送信し、それぞれの無線ネットワーク装置３０４Ｂ、３０４Ｃが、それぞれの受信信号Ｒを受信して分析している場合、
それぞれの無線ネットワーク装置３０４Ｂ、３０４Ｃは、空間３００内の物体の移動を示す、所与の周波数成分ωnの複素数値Ｙn（例えば、大きさ又は位相）の変化がいつ発生するかを判定することができる。例えば、所与の周波数成分ωnの複素数値Ｙnの変化は、動きを示す予め定義された閾値を超える場合がある。一部の実施例では、１又は２以上の複素数値Ｙnの小さな変化は、統計的に有意ではない場合があり、雑音又は他の影響のみを示すことができる。
【００５０】
一部の実施例では、送信信号及び受信信号は、ＲＦスペクトルにあり、これらの信号は、ベースバンド帯域幅で分析される。例えば、送信信号は、送信ＲＦ信号を定義するためにアップコンバートされたベースバンド信号を含むことができ、受信信号は、ベースバンド信号にダウンコンバートされた受信ＲＦ信号を含むことができる。受信されたベースバンド信号が受信ＲＦ信号に組み込まれているので、空間における移動の影響（例えば、伝達関数の変化）は、受信されたベースバンド信号で発生する可能性があり、ベースバンド信号は、移動を検出するために（例えば、フーリエ解析又は別の種類の分析を使用して）処理される信号とすることができる。他の実施例において、処理される信号は、ＲＦ信号又は別の信号とすることができる。
【００５１】
図４は、例示的な無線ネットワーク装置４０４Ａ、４０４Ｂ、４０４Ｃを含む環境４００を示す概略図である。例示的な無線ネットワーク装置４０４Ａ、４０４Ｂ、４０４Ｃは、例示的な無線ネットワーク装置１０１Ａ、１０１Ｂ、１０１Ｃに従って又は他の方法で実施することができる。図４に示す実施例では、無線ネットワーク装置４０４Ａ、４０４Ｂ、４０４Ｃは、例えば、無線ローカルエリアネットワーク（ＷＬＡＮ）、無線メッシュネットワーク（ＷＭＮ）又は別の種類の無線通信ネットワークにおける無線アクセスポイント（ＷＡＰ）装置である。例えば、無線ネットワーク装置４０４Ａ、４０４Ｂ、４０４Ｃは、Ｗｉ−Ｆｉルータのメッシュの全て又は一部を形成することができる。
【００５２】
従って、例示的な無線ネットワーク装置４０４Ａ、４０４Ｂ、４０４Ｃは、Ｗｉ−Ｆｉネットワークにおいて無線ネットワークトラフィックを通信するように構成されている。例えば、無線ネットワーク装置４０４Ａ、４０４Ｂ、４０４Ｃは、１又は２以上のＷｉ−Ｆｉチャネルで無線ネットワークトラフィックを送信又は受信（又は両方）することができる。一部の事例では、無線ネットワーク装置４０４Ａ、４０４Ｂ、４０４Ｃは、環境４００において無線装置への無線ネットワークアクセスを可能にする。例えば、スマートフォン、ラップトップ、コンピュータ設備、プリンター、スマートデバイス（例えば、サーモスタット、照明器具、ドアロックセット、その他）、又は他の装置は、無線ローカルエリアネットワーク（ＷＬＡＮ）又は無線メッシュネットワーク（ＷＭＮ）において無線ネットワーク装置４０４Ａ、４０４Ｂ、４０４Ｃを介してアクセスし通信することができる。
【００５３】
例示的な無線ネットワーク装置４０４Ａ、４０４Ｂ、４０４Ｃはまた、環境４００内の空間における物体の動きを検出するようにも構成されている。例えば、無線ネットワーク装置４０４Ａ、４０４Ｂ、４０４Ｃは、１又は２以上のＷｉ−Ｆｉチャネルで動き検出信号を送信又は受信（もしくは両方を）することができる。動き検出信号は、繰り返しＷｉ−Ｆｉ信号（例えば、Ｗｉ−Ｆｉビーコン信号）、動き検出のために生成された基準信号、又は他の種類の信号を含むことができる。動き検出信号は、動きについて監視されることになる空間を通って送信することができる。図示の実施例では、空間は、側壁４０２Ａ、４０２Ｂによって定められる２つの廊下を含み、移動中の物体は、廊下の１つを通って歩いている人である。例えば、廊下は、オフィスビル又は工業用施設の通路、家庭内の廊下、又は別の種類の廊下とすることができる。
【００５４】
図４に示す実施例では、無線ネットワーク装置４０４Ａ、４０４Ｂ、４０４Ｃの各々は、位置識別子に関連付けられる。位置識別子は、例えば、記述ラベル、ＧＰＳ座標又は別の種類の位置識別子とすることができる。例えば、無線ネットワーク装置４０４Ａは、「廊下１」に関連付けることができ、無線ネットワーク装置４０４Ｂは、「廊下交差部」に関連付けることができ、無線ネットワーク装置４０４Ｃは、「廊下２」に関連付けることができる。
【００５５】
図４に示すように、人が、無線ネットワーク装置４０４Ａ及び４０４Ｂの２つの間を（例えば、「廊下１」において）歩いており、無線ネットワーク装置４０４Ａ、４０４Ｂの何れかは、人の移動を検出することができる。一部の事例では、第３の無線ネットワーク装置４０４Ｃもまた、「廊下１」における人の動きを検出する。一部の事例では、第３の無線ネットワーク装置４０４Ｃは、「廊下１」における動きを検出しない。例えば、各無線ネットワーク装置は、特定の範囲内、特定の方向、その他での動きを検出するように構成することができる。
【００５６】
動作の一部の態様では、無線ネットワーク装置４０４Ａ、４０４Ｂ、４０４Ｃは、Ｗｉ−Ｆｉネットワークにおける無線アクセスポイントとして動作する。一部の事例では、無線ネットワーク装置４０４Ａ、４０４Ｂ、４０４Ｃの１又は２以上は、環境４００内の動きを検出して、例えば、無線ネットワークシステム又は別のシステムにおいて処理されることになる動きデータを生成することができる。例えば、動きを検出する無線ネットワーク装置は、動き検出レポートをサーバシステムに送ることができる。動き検出レポートは、例えば、検出された動きの時間及び場所又は他の情報を示すことができる。図４に示す実施例では、無線ネットワーク装置４０４Ａは、動きが「廊下１」において検出されたことを示す動き検出レポートを送ることができる。サーバ又は別の種類のコンピュータシステムは、動き検出レポートに応答して、プログラムされた応答を起動することができる。例えば、サーバ（又は他の種類のコンピューティングデバイス）は、セキュリティアラートを起動させる（例えば、保安要員にアラートするため）、動きが検出された場所において（例えば、「廊下１」又は両方の廊下において）照明又はＨＶＡＣを起動させる、或いは、これら又は他の種類のプログラムされた応答の組み合わせを実行することができる。
【００５７】
図５は、複数の無線ネットワーク装置５１０を含む例示的な空間５００を示す概略図である。図５に示す無線ネットワーク装置５１０は、図１Ａに示す例示的な無線ネットワーク装置１０１Ａ、１０１Ｂ、１０１Ｃに従って又は他の方法で実施することができる。図５の例示的な空間５００は、少なくとも部分的に４つの壁部５０２によって定められる。一部の実施構成では、空間５００は、部屋、複数の部屋、建物、又は同様のものとすることができる。図５に示すように、各無線ネットワーク装置５１０は、空間的位置（ｘi、ｙi、ｚi）を有し、それぞれの空間的位置（ｘi、ｙi、ｚi）にて受信信号を監視及び分析することができる。
【００５８】
加えて、一部の例示的な実施構成において、各無線ネットワーク装置５１０は、情報（例えば、受信信号の特性、検出された動きの表示、検出された動きの識別、検出された動きの時間、無線ネットワーク装置の識別子又は位置、又は同様のもの）を（例えば、図６に以下で検討するように）データ集約システムに送信することができる。例えば、位置及び時間情報は、無線ネットワーク装置の空間座標（例えば、（ｘi、ｙi、ｚi）又は他の座標で）及び動きが検出される時間座標（例えば、時刻）を含むことができる。図５は、空間５００における無線ネットワーク装置５１０の例示的な空間座標を示す。
【００５９】
図６は、例示的なシステムアーキテクチャ６００を示すブロック図である。例示的なシステムアーキテクチャ６００は、図５に示す無線ネットワーク装置５１０を含み、該無線ネットワーク装置５１０は、図１Ａに示す例示的な無線ネットワーク装置１０１Ａ、１０１Ｂ、１０１Ｃ又は他の方法に従って実施することができる。例示的なシステムアーキテクチャ６００はまた、ネットワーク６２０及びメインコントローラ６３０を含む。システムアーキテクチャ６００は、更なる又は異なる構成要素を含むことができる。一部の実施構成では、動き検出能力を含む無線ネットワークシステムは、図６に示すように、又は別の方法で配置することができる。
【００６０】
図６に示す実施例では、各無線ネットワーク装置５１０は、空間座標（ｘi、ｙi、ｚi）を有するそれぞれの物理的位置に存在し、ここでｉは、１からｎ＋１（ｎ＋１は無線ネットワーク装置５１０の数である）まで変わる。一部の実施構成では、各無線ネットワーク装置５１０は、無線ネットワーク装置５１０の位置座標を識別する全世界測位システム（ＧＰＳ）又は別の位置識別システムを含むことができ、或いは、位置座標は、別の方法で識別することができる。一部の実施構成では、各無線ネットワーク装置５１０は、一意の識別子を有し、識別子は、位置識別子又は位置座標と関連付けることができる。
【００６１】
例示的な無線ネットワーク装置５１０は、他の無線ネットワーク装置から動き検出信号を受信することができる。動き検出信号は、一部の事例では、動き検出チャネルで送信することができ、無線ネットワーク装置５１０の１又は２以上はまた、１又は２以上のネットワークトラフィックチャネルで無線ネットワークトラフィックを通信する。無線ネットワーク装置５１０は、受信された動き検出信号を処理して、例えば、受信された動き検出信号を変化について分析することによって物体の動きを検出することができる。受信信号の一部の変化、例えば、統計的に有意な変化は、空間における移動を示すことができる。
【００６２】
図６に示す実施例では、無線ネットワーク装置からのデータ（例えば、動き表示、位置情報など）は、データ集約又は中央制御システム（例えば、メインコントローラ６３０）によって受信される。一部の実施構成では、無線ネットワーク装置からのデータは、例えば、ネットワーク６２０を介して無線ネットワーク装置から送信されるメッセージを受信することにより、メインコントローラ６３０によって集約される。ネットワーク６２０は、例えば、ＩＰネットワーク、企業ネットワーク、仮想プライベートネットワーク、ローカルエリアネットワーク、又は別の種類のネットワークとすることができる。
【００６３】
一部の実施構成では、無線ネットワーク装置は、ローカル接続（例えば、ローカル接続６０２又は６０４）を介してネットワーク６２０に接続されている。例えば、無線ネットワーク装置は、有線接続６１４又は無線接続６１２によってネットワーク６２０に接続することができる。有線接続６１４は、例えば、イーサネット接続、ｘＤＳＬ（ｘ−デジタル加入者回線）接続、光接続、又は他の種類の有線接続を含むことができる。無線接続６１２は、例えば、Ｗｉ−Ｆｉ、ブルートゥース、近距離通信（ＮＦＣ）、又は他の種類のローカル無線接続を含むことができる。一部の実施構成では、無線ネットワーク装置の一部は、１又は２以上の広域接続６０６を介してネットワーク６２０に接続されている。広域接続６０６は、例えば、仮想プライベートネットワーク又は他の種類の接続を含むことができる。
【００６４】
メインコントローラ６３０は、１又は２以上のコンピューティングデバイスを含むコンピューティングシステムとすることができる。メインコントローラ６３０又はその構成要素の何れかは、データ処理センタ、コンピュータ設備、又は別の場所に位置することができる。図示の実施例では、メインコントローラ６３０は、無線ネットワーク装置５１０の動作を制御及び監視することができる。メインコントローラ６３０の例示的な機能は、無線ネットワーク装置の一部又は全部からの情報の集約、無線ネットワーク装置ソフトウェアのアップグレード、及び無線ネットワーク装置の状態の監視、その他を含むことができる。例えば、メインコントローラ６３０は、ソフトウェアアップデートを一部又は全ての無線ネットワーク装置に送ることができる。
【００６５】
一部の実施構成では、メインコントローラ６３０は、無線ネットワーク装置から送信される移動検出に関係する情報（例えば、移動検出の表示、移動シグネチャー、周波数成分の大きさ及び位相を表す複素数値の検出された変化、無線ネットワーク装置の各々についての時空間座標、その他）を受信する。メインコントローラ６３０は、データ解析システム６３６を含むことができ、又はデータ解析システム６３６に結合することができ、データ解析システム６３６は、複数の無線ネットワーク装置からの移動検出に関係する情報を集約（例えば、アセンブル、コンパイル、又は他の方法で管理）して、例えば、動きが検出されたときのインシデントレポートを生成することができる。一部の事例では、複数の無線ネットワーク装置からの動き検出に関係する情報は、照明、ＨＶＡＣ、セキュリティシステム（例えば、ドアロック）又は他のシステムを起動又は非作動にすべきであるかどうかを決定するのに使用される。
【００６６】
一部の事例では、インシデントレポートをデータインターフェース６３８上に提示して、無線ネットワーク装置の様々な位置に対する現在のユーザ無線ネットワーク装置から移動の表示又は他の情報をユーザに提示することができる。例えば、インシデントレポートは、検出された移動を時間及び位置又は他の情報に基づいて示すことができ、これは、移動の発生源を決定するのに有用とすることができる。一部の実施構成では、データ解析システム６３６は、リアルタイムデータ、履歴データ、又は両方の組み合わせを分析して、移動がある位置でいつ発生したかを決定することができる。従って、メインコントローラ６３０は、セキュリティシステムの中央管理室として使用することができ、ここで、職員は、検出された移動に対してアラートし、アラートに応答して警備会社又は警察を派遣することができる。
【００６７】
図７は、無線通信ネットワークを動作する例示的なプロセス７００を示すフローチャートである。例示的なプロセス７００は、例えば、無線ネットワーク装置を含む無線ネットワークシステムによって実行することができる。例えば、プロセス７００の動作は、図１Ａに示す無線ネットワークシステム１００又は別の種類のシステムによって実行することができる。一部の事例では、例示的なプロセス７００における１又は２以上の動作は、ネットワーク設置又は構成プロセス、ネットワークの運用プロセス、又は別の種類のプロセスにおいて実行又は利用することができる。
【００６８】
例示的なプロセス７００は、更なる又は異なる動作を含むことができ、本動作は、図示する順番又は別の順番で実行することができる。一部の事例では、図７に示す動作の１又は２以上は、複数の動作を含むプロセス、他の種類のルーチンのサブプロセスとして実施される。一部の事例では、動作は、組み合わせるか、別の順番で実行するか、並行して実行するか、反復するか、又は他の方法で繰り返す又は別の方法で実行することができる。
【００６９】
７０２において、無線通信ネットワーク内のチャネルを識別する。チャネルは、例えば、図１Ａに示すタイプの無線通信チャネルとすることができる。７０４において、動き感知のためにチャネルのサブセットを指定する。チャネルのサブセットは、例えば、無線ネットワークサーバ内の設定、無線ネットワーク装置上の設定、又は他の方法により指定される単一のチャネル又は複数のチャネルとすることができる。一部の事例では、チャネルのサブセットは、無線ネットワークシステムの設置又は構成時に指定される。一部の事例では、チャネルのサブセットは、無線ネットワークシステムの作動中に指定される。
【００７０】
７０６において、動き感知のためにチャネルの指定されたサブセットを使用する。例えば、チャネルの指定されたサブセットは、図示され図３Ａ、図３Ｂ、及び図４に関して記載されたような物体の動きを検出するのに使用することができ、又はチャネルの指定されたサブセットは、別の方法で動きを検出するのに使用することができる。一部の実施構成では、無線ネットワーク装置は、無線周波数信号を受信及び処理することによって動き感知のためにチャネルの指定されたサブセットを使用する。例えば、動き検出信号を処理して、屋内又は屋外空間における物体の動きを検出することができる。
【００７１】
７０８において、動きデータを処理する。例えば、動きデータは、（７０６で）動き感知を実行する無線ネットワーク装置によって、又は無線ネットワーク装置から動きデータを受信する無線ネットワークサーバによって処理することができる。動きデータは、例えば、線ネットワーク装置によって動きが無検出されたという表示を含むことができる。動きデータは、動きが検出された時間、動きを検出した装置の識別情報、検出された動きの位置、その他を示すことができる。一部の事例では、動きデータは、例えば、セキュリティが破られたかどうかを判定するためのセキュリティプロトコルの一部として処理される。一部の事例では、動きデータは、例えば、照明、ＨＶＡＣ、セキュリティシステム（例えば、ドアロック）又は他のシステムが起動又は非動作すべきであるかどうかを決定するために、電力管理プロトコルの一部として処理される。
【００７２】
７１０において、無線ネットワークトラフィックを通信するのに、他のチャネル（動き感知に指定されたサブセット以外のチャネル）を使用する。例えば、無線ネットワーク装置は、無線通信ネットワークに無線アクセスする他の装置（例えば、ユーザ装置、クライアント装置、その他）と、無線ネットワークサーバと、又はその他との無線通信のために他のチャネルを使用することができる。一部の事例では、他のチャネルは、無線ネットワークトラフィックに使用され、一方、チャネルの指定されたサブセットは、動き感知に使用される。換言すると、動き感知動作は、無線ネットワークトラフィックの通信と並行して動作することができる。一部の事例では、無線ネットワーク装置は、例えば、動き感知チャネルとネットワークトラフィックチャネルの使用の間で交互にすることによって動き感知と無線ネットワークトラフィックの通信の両方に同じチップセットを使用する。
【００７３】
記載される実施例の一部の全体的な態様では、無線装置は、動き検出チャネル及び他の無線通信チャネルを作動させる。
【００７４】
第１の実施例では、第１の無線ネットワーク装置のモデムは、無線通信ネットワークにおいて無線通信チャネルの第１のサブセットで無線ネットワークトラフィックを通信する。第１の無線ネットワーク装置のモデムは、第２の無線ネットワーク装置によって空間を通って送信される動き検出信号を受信する。動き検出信号は、無線通信チャネルの第２のサブセットで受信される。動き検出信号は、空間における物体の動きを検出するために処理される。
【００７５】
第１の実施例の実施構成は、一部の事例では、以下の特徴のうちの１又は２以上を含むことができる。無線通信ネットワークは、無線ローカルエリアネットワーク（ＷＬＡＮ）とすることができ、第１の無線ネットワーク装置は、無線アクセスポイント（ＷＡＰ）装置とすることができる。無線通信ネットワークは、無線メッシュネットワーク（ＷＭＮ）とすることができ、第１の無線ネットワーク装置は、無線アクセスポイント（ＷＡＰ）装置とすることができる。
【００７６】
第１の実施例の実施構成は、一部の事例では、以下の特徴の１又は２以上を含むことができる。第２の無線ネットワーク装置によって送信される動き検出信号は各々、制御データ及び動きプローブを含むことができる。第１の無線ネットワーク装置のモデムは、それぞれの動き検出信号からの動きプローブを比較することによって、空間における物体の動きを検出することができる。動き検出の表示は、動きを検出することに応答して生成することができる。
【００７７】
第１の実施例の実施構成は、一部の事例では、以下の特徴のうちの１又は２以上を含むことができる。無線ネットワークトラフィックを通信することができ、動き検出信号は、並行して受信される。無線通信チャネルは、周波数チャネル、符号化チャネル、又はこれらの組み合わせ、及び他の種類のチャネルを含むことができる。
【００７８】
第２の実施構成では、無線ネットワークモデムは、無線サブシステム及びベースバンドサブシステムを含む。無線サブシステムは、複数の無線通信チャネルで無線周波数無線信号を通信するように構成されている。ベースバンドサブシステムは、無線サブシステムに結合されて、無線通信チャネルの第１のサブセットで無線サブシステムを介して通信される無線ネットワークトラフィックを無線通信ネットワークにおいて通信し、別の無線ネットワーク装置によって空間を通って送信され、無線通信チャネルの第２のサブセットで無線サブシステムを介して受信される動き検出信号を受信し、動き検出信号を処理して空間における物体の動きを検出する、ように構成されている。
【００７９】
第２の実施例の実施構成は、一部の事例では、以下の特徴のうちの１又は２以上を含むことができる。無線サブシステムは、無線周波数（ＲＦ）フロントエンド及び無線チップを含むことができる。ベースバンドサブシステムは、デジタルベースバンドチップを含むことができる。
【００８０】
第２の実施例の実施構成は、一部の事例では、以下の特徴のうちの１又は２以上を含むことができる。他の無線ネットワーク装置によって送信される動き検出信号は各々、制御データ及び動き検出プローブを含むことができる。ベースバンドサブシステムは、送信されたそれぞれの動き検出信号における動き検出プローブの比較に基づいて、物体の動きを検出するように構成することができる。
【００８１】
第２の実施例の実施構成は、一部の事例では、以下の特徴のうちの１又は２以上を含むことができる。ベースバンドサブシステムは、動きの検出に応答して動き検出の表示を生成するように構成することができる。ベースバンドサブシステムは、動き検出の表示を無線通信ネットワークを介して別の装置に送るように構成することができる。無線サブシステムは、無線ネットワークトラフィックを通信して動き検出信号を並行して受信するように構成することができる。無線通信チャネルは、周波数チャネル、符号化チャネル、又はこれら及び他の種類のチャネルの組み合わせを含むことができる。
【００８２】
第３の実施例では、システムは、第１の無線ネットワーク装置及び第２の無線ネットワーク装置を含む。第１の無線ネットワーク装置は、無線通信ネットワークにおいて無線通信チャネルの第１のサブセットで無線ネットワークトラフィックを通信し、無線通信チャネルの第２のサブセットで動き検出信号を送信するように構成される第１のモデムを含む。第２のモデムを備える第２の無線ネットワーク装置は、無線通信チャネルの第２のサブセットで動き検出信号を受信し、動き検出信号を処理して動き検出信号によってアクセスされる空間における物体の動きを検出するように構成されている。
【００８３】
第３の実施例の実施構成は、一部の事例では、以下の特徴のうちの１又は２以上を含むことができる。無線通信ネットワークは、無線ローカルエリアネットワーク（ＷＬＡＮ）とすることができ、第１又は第２の無線ネットワーク装置（又は両方）は、無線アクセスポイント（ＷＡＰ）装置とすることができる。無線通信ネットワークは、無線メッシュネットワーク（ＷＭＮ）とすることができ、第１又は第２の無線ネットワーク装置（又は両方）は、無線アクセスポイント（ＷＡＰ）装置とすることができる。
【００８４】
第３の実施例の実施構成は、一部の事例では、以下の特徴のうちの１又は２以上を含むことができる。第１のモデムは、第１の無線サブシステム及び第１のベースバンドサブシステムを含むことができる。第１のベースバンドサブシステムは、無線通信チャネルの第１のサブセットで第１の無線サブシステムを介して無線ネットワークトラフィックを通信し、無線通信チャネルの第２のサブセットで第１の無線サブシステムを介して動き検出信号を受信するように構成することができる。第２のモデムは、無線通信チャネルの第２のサブセットで動き検出信号を受信するように構成される第２の無線サブシステム、及び動き検出信号処理して物体の動きを検出するように構成される第２のベースバンドサブシステムを含むことができる。
【００８５】
本明細書では多くの詳細事項を包含するが、これらは、特許請求できるものの範囲に対する制限事項とみなすべきではなく、むしろ特定の実施例に固有な特徴の説明と解釈されたい。別々の実施構成の文脈で本明細書で記載される特定の特徴も組み合わせることができる。逆に、単一の実施の形態の文脈で説明されている様々な特徴もまた、別個に又は任意の好適な部分的組み合わせで複数の実施の形態において実施することができる。
【００８６】
幾つかの実施形態を説明してきた。それでもなお、様々な修正を行うことができることは理解されるであろう。従って、他の実施形態は、以下の特許請求項の範囲内である。
【符号の説明】
【００８７】
７０２：無線通信ネットワークにおいてチャネルを識別する
７０４：動き感知用のチャネルのサブセットを指定する
７０６：動き感知にチャネルの指定されたサブセットを使用する
７０８：動きデータを処理する
７１０：他のチャネルを無線ネットワークトラフィックに使用する
【図１Ａ】
2020074605.tif 000008
【図１Ｂ】
2020074605.tif 000009
【図２】
2020074605.tif 000010
【図３Ａ】
2020074605.tif 000011
【図３Ｂ】
2020074605.tif 000012
【図４】
2020074605.tif 000013
【図５】
2020074605.tif 000014
【図６】
2020074605.tif 000015
【図７】
2020074605.tif 000016
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
無線ネットワークの方法であって、
第１の無線ネットワーク装置のモデムの動作によって、無線通信ネットワークにおいて無線通信チャネルの第１のサブセットで無線ネットワークトラフィックを通信するステップと、
前記第１の無線ネットワーク装置の前記モデムの動作によって、第２の無線ネットワーク装置によって空間を通って送信されて無線通信チャネルの第２のサブセットで受信される動き検出信号を受信するステップであって、前記無線通信チャネルの前記第２のサブセットは動き感知のために指定される、ステップと、
を含み、前記第２の無線ネットワーク装置によって送信される前記動き検出信号は各々、制御データ及び動きプローブを含み、前記動きプローブが各々、基準信号又はビーコン信号を含み、
前記方法が更に、
前記無線ネットワークトラフィックを通信し、前記動き検出信号を並行して受信するステップと、
前記第１の無線ネットワーク装置の前記モデムの動作によって、前記動き検出信号それぞれからの前記動きプローブを比較することによって前記空間における物体の動きを検出するステップと、
を含む、無線ネットワークの方法。
【請求項２】
前記無線通信ネットワークは、無線ローカルエリアネットワーク（ＷＬＡＮ）を含み、前記第１の無線ネットワーク装置は、無線アクセスポイント（ＷＡＰ）装置を含む、請求項１に記載の無線ネットワークの方法。
【請求項３】
前記無線通信ネットワークは、無線メッシュネットワーク（ＷＭＮ）を含み、前記第１の無線ネットワーク装置は、無線アクセスポイント（ＷＡＰ）装置を含む、請求項１に記載の無線ネットワークの方法。
【請求項４】
動きの検出に応答して、動き検出の表示を生成するステップを含む、請求項１に記載の無線ネットワークの方法。
【請求項５】
前記無線通信チャネルは、周波数チャネルを含む、請求項１に記載の無線ネットワークの方法。
【請求項６】
前記無線通信チャネルは、符号化チャネルを含む、請求項１に記載の無線ネットワークの方法。
【請求項７】
無線ネットワークモデムであって、
複数の無線通信チャネルで無線信号を通信するように構成された無線サブシステムと、
前記無線サブシステムに結合されたベースバンドサブシステムと、
を備え、
前記ベースバンドサブシステムが、
前記無線通信チャネルの第１のサブセットで前記無線サブシステムを介して他の無線ネットワーク装置に伝達される無線ネットワークトラフィックを無線通信ネットワークにおいて通信し、
前記他の無線ネットワーク装置によって空間を通って送信され、前記無線通信チャネルの第２のサブセットで前記無線サブシステムを介して受信される動き検出信号を受信する、
よう構成され、
前記無線通信チャネルの前記第２のサブセットは動き感知のために指定され、
前記他の無線ネットワーク装置によって送信される前記動き検出信号が各々、制御データ及び動き検出プローブを含み、前記動き検出プローブが各々、基準信号又はビーコン信号を含み、
前記ベースバンドサブシステムが更に、
前記無線ネットワークトラフィックを通信して前記動き検出信号を並行して受信し、
前記動き検出信号のそれぞれにおける前記動き検出プローブの比較に基づいて前記物体の動きを検出する、
ように構成される、無線ネットワークモデム。
【請求項８】
前記無線サブシステムは、無線周波数（ＲＦ）フロントエンド及び無線チップを含む、請求項７に記載の無線ネットワークモデム。
【請求項９】
前記ベースバンドサブシステムは、デジタルベースバンドチップを含む、請求項７に記載の無線ネットワークモデム。
【請求項１０】
前記ベースバンドサブシステムは、動きの検出に応答して動き検出の表示を生成するように構成される、請求項７に記載の無線ネットワークモデム。
【請求項１１】
前記ベースバンドサブシステムは、前記動き検出の表示を前記無線通信ネットワークを介して他の装置に送るように構成される、請求項１０に記載の無線ネットワークモデム。
【請求項１２】
前記無線通信チャネルは、周波数チャネルを含む、請求項７に記載の無線ネットワークモデム。
【請求項１３】
前記無線通信チャネルは、符号化チャネルを含む、請求項７に記載の無線ネットワークモデム。
【請求項１４】
システムであって、
第１のモデムを含む第１の無線ネットワーク装置と、
第２のモデムを含む第２の無線ネットワーク装置とを備え、
前記第１の無線ネットワーク装置が、
無線通信ネットワークにおいて無線通信チャネルの第１のサブセットで無線ネットワークトラフィックを通信し、
無線通信チャネルの第２のサブセットで動き検出信号を送信するように構成され、前記動き検出信号が各々、制御データ及び動きプローブを含み、前記動きプローブが各々、基準信号又はビーコン信号を含み、
前記第１の無線ネットワーク装置が、さらに、
前記無線ネットワークトラフィックを通信し且つ前記動き検出信号を並行して送信するよう構成され、
前記第２の無線ネットワーク装置が、
動き感知のために指定される無線通信チャネルの前記第２のサブセットで前記動き検出信号を受信し、
送信される前記動き検出信号のそれぞれにおける前記動き検出プローブの比較に基づいて前記物体の動きを検出する、するように構成された、システム。
【請求項１５】
前記無線通信ネットワークは、無線ローカルエリアネットワーク（ＷＬＡＮ）を含み、前記第１の無線ネットワーク装置は、無線アクセスポイント（ＷＡＰ）装置を含む、請求項１４に記載の無線通信システム。
【請求項１６】
前記無線通信ネットワークは、無線メッシュネットワーク（ＷＭＮ）を含み、前記第１の無線ネットワーク装置は、無線アクセスポイント（ＷＡＰ）装置を含む、請求項１４に記載の無線通信システム。
【請求項１７】
前記第１のモデムは、第１の無線サブシステムと第１のベースバンドサブシステムとを含み、前記第１のベースバンドサブシステムは、
無線通信チャネルの前記第１のサブセットで前記第１の無線サブシステムを介して前記無線ネットワークトラフィックを通信し、
無線通信チャネルの前記第２のサブセットで前記第１の無線サブシステムを介して前記動き検出信号を送信する、
ように構成される、請求項１４に記載の無線通信システム。
【請求項１８】
前記第２のモデムは、
無線通信チャネルの前記第２のサブセットで前記動き検出信号を受信するように構成される第２の無線サブシステムと、
前記動き検出信号処理して前記物体の動きを検出するように構成される第２のベースバンドサブシステムと、
を含む、請求項１７に記載の無線通信システム。
【請求項１９】
前記第２の無線ネットワーク装置は、動き検出装置である、請求項１に記載の無線ネットワークの方法。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
無線ネットワークの方法であって、
第１の無線ネットワーク装置のモデムの動作によって、無線通信ネットワークにおいて無線通信チャネルの第１のサブセットで無線ネットワークトラフィックを通信するステップと、
前記第１の無線ネットワーク装置の前記モデムの動作によって、第２の無線ネットワーク装置によって空間を通って送信されて無線通信チャネルの第２のサブセットで受信される動き検出信号を受信するステップであって、前記無線通信チャネルの前記第２のサブセットは動き感知のために指定される、ステップと、
を含み、前記第２の無線ネットワーク装置によって送信される前記動き検出信号は各々、制御データ及び動きプローブを含み、前記動きプローブが各々、基準信号又はビーコン信号を含み、
前記方法が更に、
前記無線ネットワークトラフィックを通信し、前記動き検出信号を並行して受信するステップと、
前記第１の無線ネットワーク装置の前記モデムの動作によって、前記動き検出信号それぞれからの前記動きプローブを比較することによって前記空間における物体の動きを検出するステップと、
を含む、無線ネットワークの方法。